(57)【特許請求の範囲】
【請求項１】
所定の物品を挟持する一対の挟片部材を有し、該挟片部材の先端側どうしが離れた状態となる開成位置、及び前記挟片部材の先端側どうしが接近した状態となる閉成位置の間で変形可能な挟持手段と、
該挟持手段の基端側に設けられ、一方の挟片部材を他方の挟片部材に対して、前記挟持手段の変形方向に垂直な面上で回動させる回動手段と
を具備し、
前記回動手段は、
一方の前記挟片部材の基端側に設けられ、他方の前記挟片部材に向かって突出した軸部を有する第一支持部と、
他方の前記挟片部材の基端側に設けられ、前記軸部が挿入される孔状の軸受部を有する第二支持部と
を備えることを特徴とするトング。
【請求項２】
前記軸部及び前記軸受部のいずれか一方に係止爪部が形成され、
前記軸部及び前記軸受部のいずれか他方に前記係止爪部が係合する係受部が形成されていることを特徴とする請求項１に記載のトング。
【請求項３】
前記回動手段は、
先端に係止爪部が形成された二つの軸部を有する回動支持部と、
一対の前記挟片部材の基端側に設けられ、前記軸部が挿入され、前記係止爪部が係合する係受部が形成されている孔状の軸受部を有する支持部と
を備えることを特徴とする請求項１に記載のトング。
【請求項４】
一方の前記挟片部材が他方の前記挟片部材に対して所定の相対角度となる位置で、前記回動手段の回動を抑制する制動手段をさらに備えることを特徴とする請求項１乃至請求項３のいずれか一つに記載のトング。
【発明の詳細な説明】
【０００１】
【発明の属する技術分野】
本発明は、トングに関するものであり、特に、料理等の食品を挟んでつかむためのトングに関するものである。
【０００２】
【従来の技術】
立食パーティーやバイキング形式のレストランなどにおいて、大皿に盛られた料理を、利用者の好みに応じて、自らが小皿に必要量だけを取分けるために、トングと呼ばれる挟み具を用いることがある。また、調理時において、食材を炒めたり、盛りつける場合にも、トングを用いることがある。トングは、一対の挟片部材の先端で物品を挟持するものであり、弾性を有する部材をＵ字形に曲げて一体成形したものや、二本の挟片部材を連結し、それらの連結部にバネなどを取付けたもの等種々のものがある。利用者は、挟片部材を片手で持ち、弾性力に抗して外側から握り締めることにより、料理などの食品を挟んでいる。
【０００３】
トングは、挟んでつかむ対象となるものの種類や大きさに応じて種々のものがある。例えば、湯豆腐などの柔らかい材料に使用するもの、焼き魚やステーキ、お好み焼き等の裏面を焼くためにひっくり返すときに使用するもの、ケーキやパン等をつかむために使用するもの、サラダなどを取分けるときに使用するもの、及びスパゲッティー等の麺類を取分けるときに使用するものがある。
【０００４】
さらに、これらのトングの先端の挟み部は、対象となるものに応じて、スプーン状、ナイフ状、及びフォーク状等の形状を呈するものが使用されている。さらに、トングは、挟んでつかむだけの用途の他に、料理を切分けたり、刺したり、液状のものをすくう等の用途に利用されている。
【０００５】
ところが、従来のトングは、一方の挟片部材だけを使って料理を切分けたり、ドレッシング等の液体をすくったりする場合、使用しない他方の挟片部材が邪魔になり、うまく取扱うことができなかった。
【０００６】
また、先端がスプーン状の形状を呈したトングを用いてスープ等の液体をすくい、味見をする場合は、他方の挟片部材及び挟み部が顔や衣服などに触れ、汚れてしまうことがあった。
【０００７】
そこで、一対の挟片部材を分離可能に構成して、一方の挟片部材だけを使用できるようにしたトングがある（実登３００１５１１号公報、特開平７−２７５１０４号公報）。これらのトングは、挟片部材を一本ずつでも使用することができるため、上記の様な不都合を受けることはない。
【０００８】
【発明が解決しようとする課題】
しかしながら、上記のトングの場合、一方の挟片部材だけを使用したいときには、分離操作が必要で有り、さらに再びトングとして使用するときには、組立てなければならないため面倒であった。また、それぞれの挟片部材がバラバラになるため、一方を紛失する恐れもあった。
【０００９】
そこで、本発明は上記実情に鑑み、一方の挟片部材だけを使用する場合、他方の挟片部材が利用者の邪魔にならない、取扱いの簡易なトングの提供を課題とするものである。
【００１０】
【課題を解決するための手段】
上記の課題を解決するため、請求項１の発明にかかるトングは、所定の物品を挟持する一対の挟片部材を有し、該挟片部材の先端側どうしが離れた状態となる開成位置、及び前記挟片部材の先端側どうしが接近した状態となる閉成位置の間で変形可能な挟持手段と、該挟持手段の基端側に設けられ、一方の挟片部材を他方の挟片部材に対して、前記挟持手段の変形方向に垂直な面上で回動させる回動手段とを具備し、前記回動手段は、一方の前記挟片部材の基端側に設けられ、他方の前記挟片部材に向かって突出した軸部を有する第一支持部と、他方の前記挟片部材の基端側に設けられ、前記軸部が挿入される孔状の軸受部を有する第二支持部とを具備するものである。
【００１１】
したがって、請求項１の発明のトングによれば、挟持手段により物品を挟んでつかむことが可能となる。一方、挟持手段の基端側に設けられた回動手段により、挟持手段の変形方向に垂直な面上で、一方の挟片部材を他方の挟片部材に対して回動させると、一対の挟片部材が互いに対向しない状態となる。さらに、一方の挟片部材の基端側に設けられた第一支持部の軸部が、他方の挟片部材の基端側に設けられた第二支持部の孔状の軸受部に挿入されているため、軸部及び軸受部により、一方の挟片部材が他方の挟片部材に対して回動することが可能となる。
【００１４】
請求項２の発明にかかるトングは、請求項１に記載のトングにおいて、前記軸部及び前記軸受部のいずれか一方に係止爪部が形成され、前記軸部及び前記軸受部のいずれか他方に前記係止爪部が係合する係受部が形成されているものである。
【００１５】
したがって、請求項２の発明のトングによれば、請求項１の発明のトングの作用に加え、軸部を軸受部に挿入すると、一方に形成された係止爪部が、他方に形成された係受部に係合され、軸部が抜けなくなる。これにより、第一支持部と第二支持部とが回動可能に係止される。
【００１６】
請求項３の発明にかかるトングは、請求項１に記載のトングにおいて、前記回動手段は、先端に係止爪部が形成された二つの軸部を有する回動支持部と、一対の前記挟片部材の基端側に設けられ、前記軸部が挿入され、前記係止爪部が係合する係受部が形成されている孔状の軸受部を有する支持部とを備えるものである。
【００１７】
したがって、請求項３の発明のトングによれば、請求項１の発明のトングの作用に加え、回動支持部に設けられた二つの軸部を、一対の挟片部材の基端側に設けられた支持部の孔状の軸受部にそれぞれ挿入すると、軸部及び軸受部により、一方の挟片部材が他方の挟片部材または回動支持部に対して回動することが可能となる。さらに回動支持部の係止爪部が、支持部に設けられた係受部に係合され、軸部が抜けなくなる。これにより、それぞれの支持部と回動支持部とが回動可能に係止される。
【００１８】
請求項４の発明にかかるトングは、請求項１乃至請求項３のいずれか一つに記載のトングにおいて、一方の前記挟片部材が他方の前記挟片部材に対して所定の相対角度となる位置で、前記回動手段の回動を抑制する制動手段をさらに備えるものである。ここで、所定の相対角度とは、一方の挟片部材と他方の挟片部材とが互いに対向する０°の位置を含むものである。
【００１９】
したがって、請求項４の発明のトングによれば、請求項１乃至請求項３のいずれか一つに記載の発明のトングの作用に加え、一方の挟片部材を他方の挟片部材に対して回動させることが可能であるが、両者の相対角度が所定の角度となったとき、制動手段により回動が抑制され、その状態が維持される。また、制動手段の制動力より大きな力を加えることにより、回動させることが可能となる。
【００２０】
【発明の実施の形態】
以下、本発明の第一実施形態であるトング１について図１乃至図３に基づいて説明する。図１は、本発明の第一実施形態及び第二実施形態であるトング１，２１の構成を示す斜視図であり、図２は、本発明の第一実施形態であるトング１の第一支持部２及び第二支持部３の平面図及び側面図である。図３は、本発明の第一実施形態乃至第三実施形態のトング１，２１，３４の回動動作を示す説明図である。
【００２１】
第一実施形態のトング１は、図１に示すように、先端にスプーン形状の挟み部４を有する一対の挟片部材５，５と、挟片部材５，５の基端にそれぞれ連結された第一支持部２及び第二支持部３とから構成されている。尚、第一支持部２、及び第二支持部３は樹脂から成形され、挟片部材５はステンレスから成形されている。ここで、一対の挟片部材５，５、第一支持部２、及び第二支持部３を組合わせたものが本発明の挟持手段に相当する。さらに、第一支持部２及び第二支持部３を組み合わせたものが本発明の回動手段に相当する。
【００２２】
ここで挟片部材５，５の先端の挟み部４は、挟んでつかむ対象となる物品に合わせて、同じ形状のもの、またはそれぞれが異なる形状のものを使用することができる。例えば、一対の挟み部４，４がともにスプーン状のものや、一方の挟み部４がナイフ状で、他方の挟み部４がフォーク状のもの等が挙げられる。
【００２３】
また、トングの大きさも、対象となる物品に合わせて、適当なサイズのものが使用される。例えば、ケーキやパン等の小さな物品を挟むための小さいサイズのものや、焼き魚、ステーキ、お好み焼き等の比較的大きな物品を挟むための大きいサイズのものがある。
【００２４】
本発明の第一実施形態のトング１を、さらに詳細に説明すると、第一支持部２は、図２（ａ）及び（ｂ）に示すように、第二支持部３に当接する第一接面６と、この第一接面６から垂直に突出した軸部７とを有している。この軸部７は、略円筒状で先端が開口している。さらに、軸部７の先端には係止爪部８が形成されている。また、軸部７の周面には、軸方向に沿って形成された四つの溝部９が、９０度の間隔で設けられている。
【００２５】
第二支持部３は、図２（ｃ）及び（ｄ）に示すように、第一支持部２の第一接面６に当接する第二接面１０と、第二接面１０に垂直に穿設された孔状の軸受部１１とを有している。また、軸受部１１の底端に係受部１２と、軸受部１１を塞ぐためのキャップ４９を有している。さらに軸受部１１の内周面の軸方向に沿って、溝部９に嵌合する四つの凸部１３が９０度の間隔で設けられている。ここで、第一支持部２の溝部９、及び第二支持部３の凸部１３を組合わせたものが、本発明の制動手段に相当する。
【００２６】
第一支持部２を第二支持部３に取付けるにあたって、第一支持部２の軸部７は、第二支持部３の軸受部１１に挿入される。このとき、軸部７の先端の係止爪部８の外径は、軸受部１１の内径よりも大きいが、軸部７には四つの溝部９が形成されていることから、溝部９の隙間が小さくなるように変形する。すなわち、軸部７の外径をわずかに小さくした状態で軸受部１１に挿入される。軸受部１１の内径よりわずかに大きい内径を有する係受部１２に到達した係止爪部８は、弾性力により広がり係受部１２と係合する。このため第一支持部２と第二支持部３とが回動可能な状態で係止される。
【００２７】
さらに、軸部７に９０度の間隔で設けられた溝部９と、軸受部１１に９０度の間隔で設けられた凸部１３とが嵌合することにより、一方の挟片部材５と他方の挟片部材５との相対角度Ａを予め定められた所定の角度で維持することが可能となる。具体的には、一方の挟片部材５が他方の挟片部材５に対して、対向する位置、直角となる位置、及び相反する位置になったときに、凸部１３が溝部９に嵌り込み、回動が抑制される。
【００２８】
次に、第一実施形態のトング１の使用方法について説明する。使用者は、トング１の一対の挟片部材５，５を片手で軽く持ち、挟片部材５，５を軽く握り締める。これにより、第一支持部２及び第二支持部３に支持された一対の挟片部材５，５の対向する挟み部４，４の間隔が狭くなる。そのため、挟み部４，４で物品を挟むことができる。
【００２９】
さらに、図３に示すように、第一実施形態のトング１は、第一支持部２と第二支持部３とが当接した状態で、軸部７を回動軸として回動させることができる。具体的には、一対の挟片部材５，５の相対角度Ａが所定の角度のときは、軸部７の周面の軸方向に沿って設けられた四つの溝部９と、軸受部１１の内周面に設けられた四つの凸部１３とが、それぞれが嵌合しているため、係合力により回動が阻止されるが、この係合力より大きな力を与えることにより、溝部９と凸部１３との嵌合が解除された状態となる。この際、軸部７の外径は、弾性力に抗して溝部９の隙間が小さくなるように変形するため、軸部７を容易に回動させることができる。その後、相対角度Ａが所定の角度になると、弾性力により軸部７の外径は元に戻り、凸部１３と溝部９とが再び嵌合する。これにより、回動が抑制され、相対角度Ａが所定の角度に維持される。
【００３０】
このため、一方の挟片部材５だけ利用する場合、例えば、先端の挟み部４がスプーンの形状をしているトング１を用いて、調理時に味見をするときは、使用しない他方の挟片部材５を９０度または１８０度回動させることにより、スプーンの形状を呈した挟み部４でスープ等の液体をすくうことができるようになる。このとき、使用しない他方の挟片部材５は、使用者の邪魔にならない。
【００３１】
次に、本発明の第二実施形態であるトング２１について図１、図３及び図４に基づいて説明する。図４は、本発明の第二実施形態であるトング２１の第一支持部２２及び第二支持部２３の構成を示す側面図及び平面図である。
【００３２】
本発明の第二実施形態のトング２１は、先端に挟み部２４，２４を有する一対の挟片部材２５，２５と、挟片部材２５，２５にそれぞれ連結された第一支持部２２及び第二支持部２３とから構成されている。尚、第一支持部２２、及び第二支持部２３は樹脂から成形され、挟片部材２５はステンレスから成形されている。ここで、一対の挟片部材２５，２５、第一支持部２２、及び第二支持部２３を組合わせたものが本発明の挟持手段に相当する。さらに、第一支持部２２及び第二支持部２３を組み合わせたものが本発明の回動手段に相当する。
【００３３】
さらに、詳細に説明すると、第一支持部２２には、図４（ａ）または（ｂ）に示すように、第二支持部２３に当接する第一接面２６と、第一接面２６に対して垂直に形成された軸部２７とを有している。この軸部２７は、円柱状であり、軸芯方向にねじ穴３２を有している。さらに、第一支持部２２の第一接面２６には、半球状の四つの突起部３０が、９０度の間隔で設けられている。
【００３４】
第二支持部２３には、図４（ｃ）または（ｄ）に示すように、第一支持部２２に当接する第二接面２８と、第二接面２８に対して垂直に穿設された軸受部２９とを有している。軸受部２９の底端には、第一支持部２２と第二支持部２３とを締結するためのねじ３３が第一支持部２３の外側から、貫通して設けられている。さらに、ねじ３３の頭を隠すためのキャップ５０を有している。また、第二支持部２３の第二接面２８には、半球状のホール部３１が、四つの突起部３０に対応する位置に９０度の間隔で設けられている。ここで、第一支持部２２の突起部３０、及び第二支持部２３のホール部３１を組合わせたものが、本発明の制動手段に相当する。
【００３５】
第一支持部２２及び第二支持部２３は、軸部２７と軸受部２９とにより嵌合される。このとき、軸部２７に設けられたねじ穴３２に、軸受部２９の底端を貫通して設けられたねじ３３が螺合されることにより、第一支持部２２と第二支持部２３とが締結される。尚、ねじ３３の締付け具合は、第一支持部２２と第二支持部２３とが軸部２７を回動軸として回動することが可能な程度に設定してある。
【００３６】
さらに、第一接面２６に９０度の間隔で設けられた突起部３０と、第二接面２８に９０度の間隔で設けられたホール部３１とが嵌合することにより、一方の挟片部材２５と他方の挟片部材２５との相対角度Ａを予め定められた所定の角度で維持することが可能となる。具体的には、一方の挟片部材２５が他方の挟片部材２５に対して、対向する位置、直角となる位置、及び相反する位置になったときに、突起部３０がホール部３１に嵌り込み、回動が抑制される。
【００３７】
次に、第二実施形態のトング２１の使用方法について説明する。使用者は、トング２１の一対の挟片部材２５，２５を片手で軽く持ち、挟片部材２５，２５を軽く握り締める。これにより、第一支持部２２及び第二支持部２３に支持された一対の挟片部材２５，２５の対向する挟み部２４，２４の間隔が狭くなる。そのため、挟み部２４，２４で物品を挟むことができる。
【００３８】
さらに、図３に示すように、第二実施形態のトング２１は、第一支持部２２と第二支持部２３とが当接した状態で、軸部２７を回動軸として回動させることができる。具体的には、一対の挟片部材２５，２５の相対角度Ａが所定の角度のときは、第一接面２６に設けられた四つの突起部３０と、第二接面２８に設けられた四つのホール部３１とが、それぞれ嵌合しているため、係合力により回動が阻止されるが、この係合力より大きな力を与えることにより、突起部３０とホール部３１との嵌合が解除された状態となる。この際、軸部２７に設けられたねじ穴３２と、軸受部２９の底端を貫通して設けられたねじ３３との締付け具合は、第一支持部２２及び第二支持部２３が回動することが可能な程度であるため、第一接面２２と第二接面２８との間がわずかに離れた状態で回動させることができる。その後、相対角度Ａが所定の角度になると、第一接面２６の突起部３０と、第二接面２８のホール部３１とが再び嵌合し、第一接面２６と第二接面２８とが当接した状態になる。これにより、回動が抑制され、相対角度Ａが所定の角度に維持される。
【００３９】
次に、本発明の第三実施形態であるトング３４について図３、図５及び図６に基づいて説明する。図５は、本発明の第三実施形態であるトング３４の構成を示す分解斜視図である。図６は、本発明の第三実施形態であるトング３４の回動支持部３９、及び支持部３８の構成を示す断面図である。
【００４０】
本発明の第三実施形態のトングは、図５及び図６に示すように先端に挟み部３６，３６を有する一対の挟片部材３７，３７と、挟片部材３７，３７にそれぞれ連結された支持部３８，３８と、互いの支持部３８，３８を回動可能に係止するための回動支持部３９とから構成されている。尚、支持部３８、及び回動支持部３９は樹脂から成形され、挟片部材３７はステンレスから成形されている。ここで、一対の挟片部材３７，３７、及び支持部３８を組合わせたものが本発明の挟持手段に相当する。さらに、支持部３８及び回動支持部３９を組み合わせたものが本発明の回動手段に相当する。
【００４１】
さらに、詳細に説明すると、回動支持部３９には支持部３８，３８に当接する第一接面４０，４０と、第一接面４０，４０に対して垂直に突出した二つの軸部４１，４１とを有している。これらの軸部４１，４１は、円筒状で先端が開口している。さらに、軸部４１，４１の先端には軸部４１より径大の係止爪部４２が形成されている。また、軸部４１，４１の周面には、軸方向に沿って形成された二つのスリット４３，４３が形成されている。さらに、回動支持部３９の第一接面４０，４０には、四つの孔部４４が、９０度の間隔で設けられている。
【００４２】
支持部３８，３８は、回動支持部３９の第一接面４０，４０に当接する第二接面４５，４５と、第二接面４５，４５に垂直に穿設された孔状の軸受部４６，４６とを有している。さらに、第二接面には、半球状の突起部４７が形成されている。また、軸受部４６，４６の底端には、軸受部４６より径大の係受部４８が形成され、軸受部４６，４６はキャップ５１によって塞がれている。ここで、支持部３８の突起部４７、及び回動支持部３９の孔部４４を組合わせたものが、本発明の制動手段に相当する。
【００４３】
回動支持部３９を支持部３８に取付けるにあたって、回動支持部３９の軸部４１，４１は、支持部３８の軸受部４６、４６にそれぞれ挿入される。このとき、軸部４１の先端の係止爪部４２の外径は、軸受部４６の内径よりも大きいが、軸部４１には二つのスリット４３が形成されていることから、スリット４３の隙間が小さくなるように変形する。すなわち、軸部４１の外径をわずかに小さくした状態で軸受部４６に挿入される。軸受部４１の内径よりわずかに大きい内径を有する係受部４８に到達した係止爪部４２は、弾性力により広がり係受部４８と係合する。このため回動支持部３９と支持部３８とが回動可能な状態で係止される。
【００４４】
さらに、第一接面４０，４０に９０度の間隔で設けられた孔部４４と、軸受部４６、４６に設けられた突起部４７とが嵌合することにより、一方の挟片部材３７と他方の挟片部材３７との相対角度Ａを予め定められた所定の角度で維持することが可能となる。具体的には、一方の挟片部材３７が他方の挟片部材３７に対して、対向する位置、直角となる位置、及び相反する位置になったときに、突起部４７が孔部４４に嵌り込み、回動が抑制される。
【００４５】
次に、第三実施形態のトング３４の使用方法について説明する。使用者は、トング３４の一対の挟片部材３７，３７を片手で軽く持ち、挟片部材３７，３７を軽く握り締める。これにより、回動支持部３９、及び支持部３８，３８に支持された一対の挟片部材３７，３７の対向する挟み部３６，３６の間隔が狭くなる。そのため、挟み部３６，３６で物品を挟むことができる。
【００４６】
さらに、第三実施形態のトング３４は、回動支持部３９と二つの支持部３８，３８とが当接した状態で、軸部４１を回動軸として回動させることができる。具体的には、図３に示すように、一対の挟片部材３７，３７の相対角度Ａが所定の角度のときは、第一接面４０を貫通して設けられた四つの孔部４４と、第二接面４５に設けられた突起部４７とが、それぞれ嵌合しているため、係合力により回動が阻止されるが、この係合力より大きな力を与えることにより、孔部４４と突起部４７との嵌合が解除された状態となる。その後、相対角度Ａが所定の角度になると、第一接面４０の孔部４４と、第二接面４５の突起部４７とが再び嵌合し、第一接面４０と第二接面４５とが当接した状態になる。これにより、回動が抑制され、相対角度Ａが所定の角度に維持される。
【００４７】
このため、一方の挟片部材３７だけ利用する場合、例えば、先端の挟み部３６がスプーンの形状をしているトング３４を用いて、調理時に味見をするときは、使用しない他方の挟片部材３７を９０度または１８０度回動させることにより、スプーンの形状を呈した挟み部３６でスープ等の液体をすくうことができるようになる。このとき、使用しない他方の挟片部材３７は、使用者の邪魔にならない。
【００４８】
以上、本発明について好適な第一実施形態乃至第三実施形態を挙げて説明したが、本発明はこれらの実施形態に限定されるものではなく、以下に示すように、本発明の要旨を逸脱しない範囲において、種々の改良及び設計の変更が可能である。
【００４９】
すなわち、第一実施形態乃至第三実施形態において、制動手段として、凸部１３及び溝部９、突起部３０及びホール部３１、孔部４４及び突起部４７を設けるものをそれぞれ示したが、これらを組合わせるようにしてもよい。これにより、相対角度Ａを所定の角度に維持することがより確実となる。
【００５０】
さらに、これらの凸部１３と溝部９との数、突起部３０とホール部３１、または孔部４４と突起部４７との数は、本発明の第一実施形態乃至第三実施形態に示した数に限定されるものでない。凸部１３及び突起部３０、４７の数は、一または二以上の複数設けることが可能であり、溝部９、ホール部３１、及び孔部４４は、少なくとも凸部１３及び突起部３０、４７の数以上であればよい。また、相対角度Ａを９０度毎に設定するものを示したが、これに限定されるものではなく、９０度以外の角度となるように設定してもよい。
【００５１】
また、第一実施形態乃至第三実施形態では、第一支持部２，２２と第二支持部３，２３と、または回動支持部３９と支持部３８，３８とを組付ける手段として、係止爪部９，４２及び係受部１２，４８、ねじ穴３２及びねじ３３を有するものを示したが、特にこれらに限定されるものではない。第一支持部２，２２と第二支持部３，２３、または回動支持部３９と支持部３８とが回動可能に組付けられるものであればよい。
【００５２】
さらに、先端の挟み部４，２４，３６の形状は、第一実施形態乃至第三実施形態に示したスプーン状のものに特に限定されるものでない。例えば、フォーク状及びナイフ状等のものが利用可能であり、対象となる料理に合わせて使用することができる。
【００５３】
また、本発明におけるトング１，２１，３４の材質は、本発明の第一実施形態乃至第三実施形態で示した樹脂製、及びステンレス製に限定されるものではなく、その他の樹脂、金属、木材、セラミックス等の材質を使用し、またはこれらの材質を組み合わせて用いてもよい。
【００５４】
【発明の効果】
以上のように、請求項１の発明のトングは、一方の挟片部材を他方の挟片部材に対して、挟持手段の変形方向に垂直な面上で回動させることができる。これにより、例えば、一方の挟片部材を使用してスープ等の液体をすくう場合であっても、他方の挟片部材が邪魔にならず、また顔や衣服などが汚れなくなる。
【００５５】
さらに、第一支持部と第二支持部とを組付けることにより、回動手段を形成することができるため、回動可能なトングを簡単な構成で安価に製造することができる。
【００５６】
請求項２の発明のトングは、請求項１に記載の発明のトングの効果に加え、ねじ等の締結手段を用いることなく第一支持部と第二支持部とを組付けることができるため、回動手段の組付作業工数を低減することができる。
【００５７】
請求項３の発明のトングは、請求項１に記載の発明のトングの効果に加え、支持部と回動支持部とを組付けることにより、回動手段を形成することができるため、回動可能なトングを簡単な構成で安価に製造することができる。
【００５８】
請求項４の発明のトングは、請求項１乃至請求項３のいずれか一つに記載の発明のトングの効果に加え、一対の挟片部材で物品を挟む場合や、一方の挟片部材のみ使用する場合に、一方の狭片部材が他方の挟片部材に対して容易に回動してしまうことがないため、各使用状態において安定した形態を保つことができ、使い勝手を更に向上することができる。
【図面の簡単な説明】
【図１】本発明の第一実施形態及び第二実施形態であるトングの構成を示す斜視図である。
【図２】本発明の第一実施形態であるトングの構成を示す第一支持部及び第二支持部の平面図及び側面図である。
【図３】本発明の第一実施形態及び第二実施形態であるトングの回動動作を示す説明図である。
【図４】本発明の第二実施形態であるトングの構成を示す第一支持部及び第二支持部の平面図及び側面図である。
【図５】本発明の第三実施形態であるトングの構成を示す分解斜視図である。
【図６】本発明の第三実施形態であるトングの回動支持部、及び支持部の構成を示す断面図である。
【符号の説明】
１，２１，３４  トング
２，２２  第一支持部（挟持手段、回動手段）
３，２３  第二支持部（挟持手段、回動手段）
５，２５，３７  挟片部材（挟持手段）
６，２６，４０  第一接面
７，２７，４１  軸部
８，４２  係止爪部
９  溝部（制動手段）
１０，２８，４５  第二接面
１１，２９，４６  軸受部
１２，４８  係受部
１３  凸部（制動手段）
３０，４７  突起部（制動手段）
３１  ホール部（制動手段）
３８  支持部（回動手段）
３９  回動支持部（回動手段）
４４  孔部（制動手段）
Ａ  相対角度
【図１】
0004436542.tif 000002
【図２】
0004436542.tif 000003
【図３】
0004436542.tif 000004
【図４】
0004436542.tif 000005
【図５】
0004436542.tif 000006
【図６】
0004436542.tif 000007